(57)【要約】【課題】各階に設置される乗場ドアのドア袋側に配置される機器の点検、保守の場合でも、無理な姿勢で点検、保守作業を強いられることなく、作業性が向上する、エレベータ作業用足場体を得る。【解決手段】この発明に係るエレベータ作業用足場体１Ｃは、桁９に対して交差する方向に延びたスリット１５を有する第１の足場板１２と、この第１の足場板１２の下側に第１の足場板１２と重ねて設けられた第２の足場板１３と、スリット１５に挿入され、第１の足場板１２に対して第２の足場板１３をスリット１５に沿って移動して案内するとともに第１の足場板１２と第２の足場板１３とを結合する結合部材１４と、から構成され、桁９は、結合部材１４による結合力により、第１の足場板１２の端部と第２の足場板１３の端部とで挟持される。【選択図】図５
2015117085.tif 000002
【特許請求の範囲】
【請求項１】
ドアを開閉する乗場ドア装置の水平方向に延びた桁に取付けられるエレベータ作業用足場体であって、
前記桁に対して交差する方向に延びたスリットを有する第１の足場板と、
この第１の足場板の下側に前記第１の足場板と重ねて設けられた第２の足場板と、
前記スリットに挿入され、前記第１の足場板に対して前記第２の足場板を前記スリットに沿って移動して案内するとともに前記第１の足場板と前記第２の足場板とを結合する結合部材と、から構成され、
前記桁は、前記結合部材による結合力により、前記第１の足場板の端部と前記第２の足場板の端部とで挟持されるエレベータ作業用足場体。
【請求項２】
前記第１の足場板は、前記端部から前記桁方向に延び前記桁に係止される断面Ｌ字形状の係止部を有している請求項１に記載のエレベータ作業用足場体。
【請求項３】
前記第１の足場板は、周縁部に先端部が上方向に指向した起立部を有している請求項１または２に記載のエレベータ作業用足場体。
【請求項４】
前記第２の足場板は、板金曲げ加工により形成された断面コの字形状であって、前記第１の足場板の底面に対面した対面部と、この対面部の両端部から垂直下方向に先端部が延びた支え部と、を有している請求項１〜３の何れか１項に記載のエレベータ作業用足場体。
【請求項５】
前記支え部は、端面の端部に、前記桁の板厚の寸法で段差し、前記桁と面接触する段差部を有している請求項４に記載のエレベータ作業用足場体。
【請求項６】
前記第１の足場板には、前記第２の足場板が前記桁から離れる方向に移動するのを阻止するストッパが挿脱可能に設けられている請求項１〜５の何れか１項に記載のエレベータ作業用足場体。
【請求項７】
ドアを有するかご室と、
水平方向に延びた桁を有し、前記ドアを開閉する乗場ドア装置と、
前記桁の前記かご室から離れた部位に取り付けられたエレベータ作業用足場体と、を備え、
前記エレベータ作業用足場体は、前記かご室の天井とともに作業者の足場となるエレベータ。
【請求項８】
前記エレベータ作業用足場板は、前記桁に着脱可能に設けられている請求項７に記載のエレベータ。
【請求項９】
請求項１〜５の何れか１項に記載のエレベータ作業用足場体を、かご室のドアを開閉する乗場ドア装置の水平方向に延びた桁のうち、前記桁の前記かご室から離れた部位に取付ける、エレベータ作業用足場体の取付け方法であって、
前記かご室の天井を作業用足場として、前記結合部材が緩められ、前記第１の足場板に対して前記第２の足場板が前記桁から離れた位置にある前記エレベータ作業用足場体を前記桁の上から下ろして前記桁に前記第１の足場板の前記端部を面接触させる工程と、
前記第２の足場板を前記桁側に移動し、前記桁を前記第１の足場板と協同して上下方向から挟む工程と、
前記結合部材を締めることで、前記エレベータ作業用足場体を前記桁に固定する工程と、を備えた、エレベータ作業用足場体の取付け方法。
【発明の詳細な説明】
【技術分野】
【０００１】
この発明は、乗場ドア装置の桁に取付けられるエレベータ作業用足場体、エレベータ作業用足場体を有するエレベータ、及びエレベータ作業用足場体を乗場ドア装置の桁に取付けるエレベータ作業用足場体の取付け方法の取付け方法に関する。
【背景技術】
【０００２】
エレベータの乗場ドア装置のドア袋側に配置される各機器は、一般的に定期的な保守、点検が必要である。
当該機器の保守、点検は、通常かご室の天井から作業するが、荷物エレベータ等の大容量エレベータでは、かご室の天井から乗場ドア装置のドア袋側までに距離があり、不自然な姿勢で作業しなければならず、作業効率が悪いという課題があった。
【０００３】
一方、エレベータかご室用足場として、従来、横断面が板体の継手相互を跨ぐ溝形をなし、上端部一側に継手相互の締結具の突出部に掛合する鉤部を有する基体と、基体の反鉤部側に設けた踏み板により足場を構成したものが知られている（例えば、特許文献１参照）。
【先行技術文献】
【特許文献】
【０００４】
【特許文献１】特開平５−１９３８７５号公報
【発明の概要】
【発明が解決しようとする課題】
【０００５】
しかしながら、このエレベータかご室用足場は、ピットに立てられた脚立を用いてエレベータの点検作業をしようとした場合に、かご室の壁と昇降路壁との間の隙間が狭いために脚立が入らなかった場合等の不都合を解消したものであり、あくまでこの足場は、各階(上階)に設置される乗場ドアのドア袋側に配置される機器の点検、保守には使用できないという問題点があった。
【０００６】
この発明は、かかる問題点を解決することを課題とするものであって、各階(上階)に設置される乗場ドアのドア袋側に配置される機器の点検、保守の場合でも、無理な姿勢で点検、保守作業を強いられることなく作業をすることができ、作業性が向上する、エレベータ作業用足場体及びエレベータを得ることを目的とする。
【０００７】
また、そのエレベータ作業用足場体を、乗場ドア装置の桁のかご室から離れた部位に簡単に取付けることができるエレベータ作業用足場体の取付け方法を得ることを目的とする。
【課題を解決するための手段】
【０００８】
この発明に係るエレベータ作業用足場体は、
ドアを開閉する乗場ドア装置の水平方向に延びた桁に取付けられるエレベータ作業用足場体であって、
前記桁に対して交差する方向に延びたスリットを有する第１の足場板と、
この第１の足場板の下側に前記第１の足場板と重ねて設けられた第２の足場板と、
前記スリットに挿入され、前記第１の足場板に対して前記第２の足場板を前記スリットに沿って移動して案内するとともに前記第１の足場板と前記第２の足場板とを結合する結合部材と、から構成され、
前記桁は、前記結合部材による結合力により、前記第１の足場板の端部と前記第２の足場板の端部とで挟持される。
【０００９】
この発明に係るエレベータは、
ドアを有するかご室と、
水平方向に延びた桁を有し、前記ドアを開閉する乗場ドア装置と、
前記桁のかご室から離れた部位に取り付けられたエレベータ作業用足場体と、を備えている。
【００１０】
この発明に掛るエレベータ作業用足場体の取付け方法は、
かご室の天井を作業用足場として、結合部材が緩められ、第１の足場板に対して第２の足場板が桁から離れた位置にあるエレベータ作業用足場体を桁の上から下ろして前記桁に前記第１の足場板の端部を面接触させる工程と、
前記第２の足場板を前記桁側に移動し、前記桁を前記第１の足場板と協同して上下方向から挟む工程と、
前記結合部材を締めることで、前記エレベータ作業用足場体を前記桁に固定する工程と、を備えている。
【発明の効果】
【００１１】
この発明に係るエレベータ作業用足場体によれば、乗場ドア装置の桁のかご室から離れた部位に簡単に取付けることができる簡単な構成であり、各階に設置される乗場ドアのドア袋側に配置される機器の点検、保守の場合には、かご室の天井とともに作業者の足場となり、無理な姿勢で点検、保守作業を強いられることなく作業を行うことができ、作業性が向上する。
【００１２】
また、この発明に係るエレベータによれば、乗場ドア装置の桁のかご室から離れた部位に取り付けられたエレベータ作業用足場体を備えているので、このエレベータ作業用足場体は、かご室の天井とともに作業者の足場となり、各階に設置される乗場ドアのドア袋側に配置される機器の点検、保守の場合には、無理な姿勢で点検、保守作業を強いられることなく作業を行うことができ、作業性が向上する。
【００１３】
また、この発明に係るエレベータ作業用足場体の取付け方法によれば、かご室の天井でのエレベータ作業用足場体を乗場ドア装置の桁に取付ける作業において、乗場ドア装置の桁を第２の足場板と第１の足場板とで上下方向から協同して挟むことで、エレベータ作業用足場体を簡単、確実に桁のかご室から離れた部位に取付けることができる。
【図面の簡単な説明】
【００１４】
【図１】この発明の実施の形態１のエレベータ作業用足場体を有するエレベータを示す平断面図である。
【図２】図１のエレベータ作業用足場体を示す斜視図である。
【図３】この発明の実施の形態２のエレベータ作業用足場体を示す斜視図である。
【図４】この発明の実施の形態３のエレベータ作業用足場体を示す斜視図である。
【図５】この発明の実施の形態４のエレベータ作業用足場体を示す斜視図である。
【図６】この発明の実施の形態５のエレベータ作業用足場体を示す斜視図である。
【発明を実施するための形態】
【００１５】
以下、この発明の各実施の形態のエレベータ作業用足場体について図に基づいて説明するが、各図において、同一または相当部材、部位については、同一符号を付して説明する。
【００１６】
実施の形態１．
図１はこの発明の実施の形態１のエレベータ作業用足場体１を有するエレベータを示す平断面図である。
このエレベータでは、昇降路２内で主索（図示せず）の一端部にカゴ室３が取り付けらており、他端部に釣合おもり４が取付けられている。
かご室３は、昇降路に沿って上下方向に延びたかご用ガイドレール５により、上下方向に案内される。釣合おもり４は、上下方向に間隔を空けて昇降路２の壁面２ａに複数取付けられたおもり用ブラケット７に上下方向に延びて取付けられたかご用ガイドレール５により、上下方向に案内される。
かご室３及び釣合おもり４は、主索に巻き掛けされた駆動綱車（図示せず）の回転により、昇降路２内を昇降する。
【００１７】
各階の乗場ドアの上側には、ドアを開閉させる乗場ドア装置８が設けられている。乗場ドア装置８の水平方向に延びた桁９のうち、ドア袋側の部位Ａには、図２に示す矩形状のエレベータ作業用足場体１（以下、足場体と略称する。）が、端部の溶接により固定されている。
【００１８】
この実施の形態では、ドア袋側に配置される各機器（例えば乗場ドア連動用の返し車、連動用のロープ、昇降路配線、ボルト締結部等）を定期的に保守、点検する場合には、作業員がかご室３の天井に一方の足をかけ、他方の足を足場体１にかけて作業をすることができる。
従って、各上記機器がかご室３から離れていても、無理な姿勢を取ることなく、保守、点検作業を行うことができ、作業性が向上する。
【００１９】
実施の形態２．
図３は、この発明の実施の形態２の足場体１Ａを示す斜視図である。
この実施の形態では、矩形状の足場体１Ａは、端部がボルト及びナットからなる締結部材１０により桁９に取付けられている。
他の構成は、実施の形態１のものと同じである。
この足場体１Ａは、締結部材１０により桁９に着脱可能に取付けられており、点検、保守時にのみに足場体１Ａを取付ければよい。
例えば、桁９が、釣合おもり４、釣合おもり用ブラケット７の近くにあり、足場体１Ａがかご室３の昇降の妨げになるエレベータの場合には、機器の点検、保守時のみ必要とする階でかご室３を停止し、作業者はかご室３の天井から足場体１Ａを締結部材１０を用いて乗場ドア装置８の桁９に取付ける。
そして、点検、保守作業が終了した後は、足場体１Ａを桁９から取り外す。
このように、この実施の形態の足場体１Ａでは、実施の形態１の足場体１を用いて場合に、足場体１がかご室３の昇降の阻害を招くエレベータの場合に対応することができる。
【００２０】
実施の形態３．
図４は、この発明の実施の形態３の足場体１Ｂを示す斜視図である。
この実施の形態では、足場体１Ｂは、三辺に先端が上方向に指向した起立部１１が形成されている。
他の構成は、実施の形態２のものと同じである。
この実施の形態では、足場部１Ｂに起立部１１を設けたので、作業者が足を滑らした場合には、この起立部１１で足の滑りを止めることができ、作業の安全性が向上する。
【００２１】
実施の形態４．
図５は、この発明の実施の形態４の足場体１Ｃを示す斜視図である。
この実施の形態では、足場体１Ｃは、第１の足場板１２と、第２の足場板１３と、重ねられた、第１の足場板１２及び第２の足場板１３を結合する一対の結合部材１４とから構成されている。
第１の足場板１２は、三辺に先端が上方向に指向した起立部１１が形成されており、また一辺に桁９に係止する断面Ｌ字形状の係止部１７が形成されている。また、第１の足場板１２には、桁９に対して垂直方向に延びた一対のスリット１５が形成されている。
このスリット１５には、結合部材１４のボルトが挿入されており、第２の足場板１３の裏面ではナットが螺着されている。
第２の足場板１３は、板金曲げ加工により断面コの字形状であり、第１の足場板１２の底面に対面した対面部１３ａと、この対面部１３ａの両端部から垂直方向に先端部が延びた支え部１３ｂとを有している。一対の支え部１３ｂの桁９側の端面には、桁９の板厚の寸法で段差し、桁９と面接触する段差部１６を有している。
足場体１Ｃは、第１の足場板１２と第２の足場板１３とが重ねられたときには、桁９側では、桁９に対して挿入できるスペースがあり、また結合部材１４のナットを緩めスリット１５に沿って結合部材１４を移動させることで、第２の足場板１３は、第１の足場板１２に対して相対移動するようになっている。
【００２２】
この足場体１Ｃを桁９に取付けるには、まず結合部材１４のナットを緩め、第１の足場板１２に対して第２の足場板１３を係止部１７から離れる方向に移動される。
その後、足場体１Ｃを桁９の上から下ろし、係止部１７を桁９に係止する。
次に、第２の足場板１３を係止部１７側に移動させ、桁９を第１の足場板１２と協同して上下方向から挟み、最後に結合部材１４のナットを締めることで、足場体１Ｃは、桁９に固定される。
このように、かご室３の天井での足場体１Ｃを乗場ドア装置８の桁９に取付ける作業において、桁９を第２の足場板１３と第１の足場板１２とで協同して上下方向から挟むことで、足場体１Ｃを簡単、確実にかご室３から離れた桁の部位に取付けることができる。
【００２３】
この実施の形態では、足場体１Ｃは、第１の足場板１２と第２の足場板１３との２分割構造であり、桁９に対しては、第１の足場板１２及び第２の足場板１３で挟持することで固定される。
従って、桁９には、足場体１Ｃを固定するための加工は不要であり、既設のエレベータにも、加工することなく足場体１Ｃを用いることができる。
また、第１の足場板１２は、端部から桁９方向に延び桁９に係止される断面Ｌの字形状の係止部１７を有しているので、第１の足場板１２は、桁９に確実に係止される。
【００２４】
また、第２の足場板１３は、板金曲げ加工により断面コの字形状であって、第１の足場板１２の底面に対面した対面部１３ａと、この対面部１３ａの両端部から垂直下方向に先端部が延びた支え部１３ｂと、を有しているので、作業員の体重を支える下方向の強度が確保されるとともに、軽量化され、作業現場への搬入、取扱いが容易となる。
また、支え部１３ｂは、桁９側の端面に、桁９の板厚の寸法で段差し、桁９と面接触する段差部１６を有しているので、第１の足場板１２の底面と第２の足場板１３の対面部１３ａとは面接触し、足場体１Ｃの強度が増大するとともに、足場が安定化する。
【００２５】
実施の形態５．
図６は、この発明の実施の形態５の足場体１Ｄを示す斜視図である。
この実施の形態では、第１の足場板１２には、第２の足場板が桁９から離れる方向に移動するのを阻止するストッパ１８が、挿脱可能に設けられている。
他の構成は、実施の形態４の足場体１Ｃと同じである。
【００２６】
この実施の形態では、結合部材１４が緩み、第２の足場板１３が第１の足場板１２に対して桁９から離れる方向に移動した場合、ストッパ１８は、第２の足場板１３の移動を阻止し、第１の足場板１２から外れるのを防止し、安全性が向上する。
【符号の説明】
【００２７】
１，１Ａ，１Ｂ，１Ｃ，１Ｄ  エレベータ作業用足場体、２  昇降路、２ａ  壁、３  かご室、４  釣合おもり、５  かご用ガイドレール、６  釣合おもり用ガイドレール、７  釣合おもり用ブラケット、８  乗場ドア装置、９  桁、１０  締結部材、１１  起立部、１２  第１の足場板、１３  第２の足場板、１３ａ  対面部、１３ｂ  支え部、１４  結合部材、１５  スリット、１６  段差部、１７  係止部、１８  ストッパ。
【図１】
2015117085.tif 000003
【図２】
2015117085.tif 000004
【図３】
2015117085.tif 000005
【図４】
2015117085.tif 000006
【図５】
2015117085.tif 000007
【図６】
2015117085.tif 000008